(57)【要約】【課題】放送エリアが変わったときに系列放送への自動切り替えを、比較的簡単な構成で実現可能な手段を提供する。【解決手段】地上波デジタル放送信号の一部に混ぜて送信されるワンセグ放送におけるニュースや天気予報、交通情報、番組関連情報などのデータ放送に、オートチャンネル切替えに必要な放送局チャンネル情報を付加して送信し、一方、地上波デジタル放送対応端末装置は、現在受信中の放送局の電波の受信状況をチェックするとともに、ワンセグ放送を受信する第２の受信部２２により異なるエリアの同局系列の放送局の電波を受信した場合には、該同局系列の放送局の電波の受信状況をチェックすることにより、これら２つの電波の受信状況を比較し、受信状況の良い放送局を選択する。【選択図】図３
2008136069.tif 000002
【特許請求の範囲】
【請求項１】
自局のエリア内に番組放送およびデータ放送を含むトランスフォームストリームを放送電波として送信する放送局と、該放送局から送信される前記放送電波を受信して前記番組およびデータを再生可能な移動無線端末とからなり、
前記放送局は、前記エリア内で放送を行っている自局および他局の放送局チャンネル情報を前記データ放送に付加して送信する手段を有しており、
前記移動無線端末は、所望の放送局チャンネルを選択して当該放送局からの放送電波を受信する第１の受信部と、前記所望の放送局からの放送電波を受信中に該エリア内の放送チャンネル以外のチャンネルを順次選択して受信する第２の受信部と、該第２の受信部により隣接エリアの放送局からの放送電波が受信されたとき該放送電波に含まれている隣接エリア内の前記チャンネル情報を抽出するチャンネル情報抽出手段と、該チャンネル情報抽出手段で抽出された前記チャンネル情報の中から前記受信中の所望の放送局と同一系列の放送局チャンネル情報を検出して出力する系列チャンネル検出手段と、前記所望の放送局からの放送電波を受信中は前記第２の受信部を該エリア内の放送チャンネル以外のチャンネルを順次選択して受信するように制御するとともに、前記系列チャンネル検出手段から前記同一系列の放送局チャンネル情報が入力されたとき、前記第２の受信部を前記同一系列の放送局チャンネルの受信に切替え制御するチャンネルサーチ手段と、前記第２の受信部で受信された前記同一系列の放送局の電波受信状況と前記第１の受信部で受信中の前記所望の放送局の電波受信状況とを比較する受信状況比較手段と、該受信状況比較手段により前記第２の受信手段で受信された放送局の電波受信状況が現在受信中の前記所望の放送局の電波受信状況よりも良好であると判定されたとき、前記第１の受信部の受信チャンネルを前記第２の受信手段で受信された放送局のチャンネルに切替えるチャンネル切替え手段と、
を有していることを特徴とするオートチャンネル切替え方式。
【請求項２】
前記放送局から送信される放送電波は地上波デジタル放送であり、前記放送局チャンネル情報は前記地上波デジタル放送信号の一部に含まれているワンセグ放送用の前記データ放送に付加されて送信されることを特徴とする請求項１に記載のオートチャンネル切替え方式。
【請求項３】
前記移動無線端末は、前記放送局から送信される地上波デジタル放送もしくは該地上波デジタル放送信号の一部に含まれているワンセグ放送を受信可能な端末装置であり、前記第２の受信部はワンセグ放送受信用の受信部により構成されていることを特徴とする請求項２に記載のオートチャンネル切替え方式。
【請求項４】
前記放送局チャンネル情報には、当該エリア内で放送している放送局の周波数、局名、チャンネル番号が含まれていることを特徴とする請求項１または２に記載のオートチャンネル切替え方式。
【請求項５】
前記移動無線端末は、前記チャンネル情報抽出手段で抽出されたチャンネル情報を一時保持する手段を有していることを特徴とする請求項１〜４のいずれか１項に記載のオートチャンネル切替え方式。
【請求項６】
請求項１〜４のいずれか１項に記載のオートチャンネル切替え方式に適応する移動無線端末であって、
所望の放送局チャンネルを選択して当該放送局からの放送電波を受信する第１の受信部と、前記所望の放送局からの放送電波を受信中に該エリア内の放送チャンネル以外のチャンネルを順次選択して受信する第２の受信部と、該第２の受信部により隣接エリアの放送局からの放送電波が受信されたとき該放送電波に含まれている隣接エリア内の前記チャンネル情報を抽出するチャンネル情報抽出手段と、該チャンネル情報抽出手段で抽出された前記チャンネル情報の中から前記受信中の所望の放送局と同一系列の放送局チャンネル情報を検出して出力する系列チャンネル検出手段と、前記所望の放送局からの放送電波を受信中は前記第２の受信部を該エリア内の放送チャンネル以外のチャンネルを順次選択して受信するように制御するとともに、前記系列チャンネル検出手段から前記同一系列の放送局チャンネル情報が入力されたとき、前記第２の受信部を前記同一系列の放送局チャンネルの受信に切替え制御するチャンネルサーチ手段と、前記第２の受信部で受信された前記同一系列の放送局の電波受信状況と前記第１の受信部で受信中の前記所望の放送局の電波受信状況とを比較する受信状況比較手段と、該受信状況比較手段により前記第２の受信部で受信された放送局の電波受信状況が現在受信中の前記所望の放送局の電波受信状況よりも良好であると判定されたとき、前記第１の受信部の受信チャンネルを前記第２の受信部で受信された放送局のチャンネルに切替えるチャンネル切替え手段と、を有していることを特徴とする移動無線端末。
【請求項７】
請求項２に記載のオートチャンネル切替え方式に適応する移動無線端末であって、
所望の地上波デジタル放送局チャンネルを選択して当該放送局からの放送電波を受信する地上波デジタル放送受信部と、前記所望の放送局からの放送電波を受信中に該エリア内の放送チャンネル以外の地上波デジタル放送チャンネルを順次選択して該地上波デジタル放送信号の一部に含まれているワンセグ放送を受信するワンセグ放送受信部と、該ワンセグ放送受信部により隣接エリアの放送局からの放送電波が受信されたとき該ワンセグ放送電波に含まれている隣接エリア内の前記チャンネル情報を抽出するチャンネル情報抽出手段と、該チャンネル情報抽出手段で抽出された前記チャンネル情報の中から前記受信中の所望の地上波デジタル放送局と同一系列の放送局チャンネル情報を検出して出力する系列チャンネル検出手段と、前記所望の地上波デジタル放送局からの放送電波を受信中は前記ワンセグ放送受信部を該エリア内の放送チャンネル以外のチャンネルを順次選択して受信するように制御するとともに、前記系列チャンネル検出手段から前記同一系列の放送局チャンネル情報が入力されたとき、前記ワンセグ放送受信部を前記同一系列の放送局チャンネルの受信に切替え制御するチャンネルサーチ手段と、前記ワンセグ放送受信部で受信された前記同一系列の放送局の電波受信状況と前記地上波デジタル放送受信部で受信中の前記所望の放送局の電波受信状況とを比較する受信状況比較手段と、該受信状況比較手段により前記ワンセグ放送受信部で受信された放送局の電波受信状況が現在受信中の前記所望の放送局の電波受信状況よりも良好であると判定されたとき、前記地上波デジタル放送受信部の受信チャンネルを前記ワンセグ放送受信部で受信された放送局のチャンネルに切替えるチャンネル切替え手段と、を有していることを特徴とする移動無線端末。
【請求項８】
請求項２に記載のオートチャンネル切替え方式に適応する移動無線端末であって、
所望の地上波デジタル放送局チャンネルを選択して当該放送局からの地上波デジタル放送信号の一部に含まれているワンセグ放送を受信する第１のワンセグ放送受信部と、前記所望の放送局からの放送電波を受信中に該エリア内の放送チャンネル以外の地上波デジタル放送チャンネルを順次選択して該地上波デジタル放送信号の一部に含まれているワンセグ放送を受信する第２のワンセグ放送受信部と、該第２のワンセグ放送受信部により隣接エリアの放送局からの放送電波が受信されたとき該放送電波に含まれている隣接エリア内の前記チャンネル情報を抽出するチャンネル情報抽出手段と、該チャンネル情報抽出手段で抽出された前記チャンネル情報の中から前記受信中の所望の地上波デジタル放送局と同一系列の放送局チャンネル情報を検出して出力する系列チャンネル検出手段と、前記所望の放送局からの放送電波を受信中は前記第２のワンセグ放送受信部を該エリア内の放送チャンネル以外のチャンネルを順次選択して受信するように制御するとともに、前記系列チャンネル検出手段から前記同一系列の放送局チャンネル情報が入力されたとき、前記第２のワンセグ放送受信部を前記同一系列の放送局チャンネルの受信に切替え制御するチャンネルサーチ手段と、前記第２のワンセグ放送受信部で受信された前記同一系列の放送局の電波受信状況と前記第１のワンセグ放送受信部で受信中の前記所望の放送局の電波受信状況とを比較する受信状況比較手段と、該受信状況比較手段により前記第２のワンセグ放送受信部で受信された放送局の電波受信状況が現在受信中の前記所望の放送局の電波受信状況よりも良好であると判定されたとき、前記第１のワンセグ放送受信部の受信チャンネルを前記第２のワンセグ放送受信部で受信された放送局のチャンネルに切替えるチャンネル切替え手段と、を有していることを特徴とする移動無線端末。
【発明の詳細な説明】
【技術分野】
【０００１】
本発明は、携帯電話機、カーナビ、パソコン、専用ポータブルテレビなど、地上波デジタル放送もしくはワンセグ放送等が受信可能な移動端末装置により放送受信中に、異なる放送エリアに移動したときのチャンネル自動切替え方式に関する。
【背景技術】
【０００２】
地上波デジタル放送を受信可能な携帯端末装置等の移動体用デジタル放送受信装置では、ユーザーの移動に伴う移動体用デジタル放送受信装置の移動によって放送局のエリアが変わると、受信中の放送局からの受信状態が悪化し、元いた放送局の電波が受信できなくなるという問題が起こる。これは、地上波デジタル放送は複数の放送局によってサービスされているため、異なる放送局エリアに入ると受信チャンネルが変わるからである。
【０００３】
そのため、従来の地上波デジタル放送対応端末装置では、自動チャンネル設定によりチャンネルリストに放送局を登録することによって、地上波デジタル放送を視聴可能にしているが、移動により受信チャンネルが変わっても視聴可能にするには、自動チャンネル設定で、ある閾値を満たした放送局をチャンネルリストに登録する必要があり、ユーザーが受信チャンネルの再設定を行なわなければならないために手間がかかるという問題がある。
【０００４】
例えば、特許文献１では、ＭＰＥＧ−２Systemsに規定されたトランスポートストリーム（ＴＳ）を放送信号として適用したデジタル放送送受信システムにおいて、各サービスエリアに配置された放送局からは、当該放送局のサービスエリアから他のサービスエリアに移動した場合におけるサービスの代替関係として関連づけされた複数のサービス（プログラム）、トランスポートストリーム及び／又はネットワークをブーケとしてグループ化するとともに上記トランスポートストリームに含めて送信し、受信装置は、ブーケとしてグループ化された複数のサービス（プログラム）、トランスポートストリーム及び／又はネットワークを示す制御情報が含まれたトランスポートストリームを受信し、上記制御情報に基づき、受信している当該サービス（プログラム）と上記代替関係として関連づけられた複数のサービス（プログラム）、トランスポートストリーム及び／又はネットワークを管理することにより、サービスエリアが切り換わる前に視聴していたサービス（プログラム）を、サービスエリアが切り換わった後に代替されるサービス（プログラム）へ自動切り換えすることを可能にする、或いは、ブーケによりグループ化されているサービス（プログラム）のリストをモニタに表示することで、再設定作業を容易にする技術が記載されている。
【０００５】
また特許文献２では、放送を受信する第１と第２の受信部と、受信する前記放送をトランスポートストリームに復調するデジタル復調部と、前記トランスポートストリームから分離出力信号を分離する分離部と、前記分離出力信号の切替えを行う予め指定される切替条件を記憶する記憶部と、前記切替条件に基づき、前記分離出力信号を、前記分離部で分離される第１の受信部で受信する放送の出力信号である第１の出力信号から前記分離部で分離される前記第１又は前記第２の受信部で受信するユーザーにより予め指定される放送の出力信号である第２の出力信号へ切り替える切替部を備えることにより、検索対象放送の検索時間を短縮して、放送の自動切替を素早く行えるようにしている。
【０００６】
【特許文献１】特開２００２−１４１８７７号公報
【特許文献２】特開２００６−０８０７５８号公報
【発明の開示】
【発明が解決しようとする課題】
【０００７】
特許文献１に記載の発明では、サービスエリアを越えたため、隣接サービスエリアの代替関係にあるサービスを受信する場合には、ブーケ種別が代替関係とされたブーケリストを参照し、サービスＩＤとＴＳ−ｉｄを抽出し、続いて、移動先のエリアコードが一致するトランスポートストリームをアクセスリストから検索し、そこから、周波数、モード、ガードインターバルを抽出して、受信を開始するために、まず、サービスエリアのエリアコードを何らかの手段（例えばＧＰＳ等）で入力し、アクセスリストからデフォルトに設定されている系列局の情報（周波数チャンネル、ガードインターバル、ＴＳ−ｉｄ等）を取得して、その系列局の受信を行うために、予め、それらの情報を登録しておく必要があり、構成が複雑になるとともに、そのための設定作業も必要となる。
【０００８】
また特許文献２に記載の発明においても、分離出力信号の切替えを行う予め指定される切替条件、あるいは地域毎に受信できる放送のチャンネルの地域受信チャンネルテーブルを記憶部に記憶しておく必要があり、受信装置の現在の位置情報を計測して登録しておく必要があるため、構成が複雑になるとともに、そのための設定作業も必要となる。
【０００９】
本発明の目的は、上記問題点に鑑み、放送エリアが変わったときに系列放送への自動切り替えを、比較的簡単な構成で実現可能な手段を提供することにある。
【課題を解決するための手段】
【００１０】
本発明のオートチャンネル切替え方式は、自局のエリア内に番組放送およびデータ放送を含むトランスフォームストリームを放送電波として送信する放送局と、該放送局から送信される前記放送電波を受信して前記番組およびデータを再生可能な移動無線端末とからなり、前記放送局は、前記エリア内で放送を行っている自局および他局のチャンネル情報を前記データ放送に付加して送信する手段を有しており、前記移動無線端末は、所望の放送局チャンネルを選択して当該放送局からの放送電波を受信する第１の受信部と、前記所望の放送局からの放送電波を受信中に該エリア内の放送チャンネル以外のチャンネルを順次選択して受信する第２の受信部と、該第２の受信部により隣接エリアの放送局からの放送電波が受信されたとき該放送電波に含まれている隣接エリア内の前記チャンネル情報を抽出するチャンネル情報抽出手段と、該チャンネル情報抽出手段で抽出された前記チャンネル情報の中から前記受信中の所望の放送局と同一系列の放送局チャンネル情報を検出して出力する系列チャンネル検出手段と、前記所望の放送局からの放送電波を受信中は前記第２の受信部を該エリア内の放送チャンネル以外のチャンネルを順次選択して受信するように制御するとともに、前記系列チャンネル検出手段から前記同一系列の放送局チャンネル情報が入力されたとき、前記第２の受信部を前記同一系列の放送局チャンネルの受信に切替え制御するチャンネルサーチ手段と、前記第２の受信部で受信された前記同一系列の放送局の電波受信状況と前記第１の受信部で受信中の前記所望の放送局の電波受信状況とを比較する受信状況比較手段と、該受信状況比較手段により前記第２の受信部で受信された放送局の電波受信状況が現在受信中の前記所望の放送局の電波受信状況よりも良好であると判定されたとき、前記第１の受信部の受信チャンネルを前記第２の受信部で受信された放送局のチャンネルに切替えるチャンネル切替え手段と、を有していることを特徴とする。
【００１１】
前記放送局から送信される放送電波は地上波デジタル放送であり、前記放送局チャンネル情報は前記地上波デジタル放送信号の一部に含まれているワンセグ放送用の前記データ放送に付加して送信することができる。
【００１２】
また前記移動無線端末における第１の受信部は、前記放送局から送信される地上波デジタル放送もしくは該地上波デジタル放送信号の一部に含まれているワンセグ放送を受信可能な受信部によって構成することができ、前記第２の受信部は、どちらの構成の端末装置の場合であっても、ワンセグ放送を受信可能な受信部により実現できる。
【００１３】
また前記放送局チャンネル情報には、当該エリア内で放送している放送局の周波数、局名、チャンネル番号が含まれている。
【００１４】
即ち本発明では、地上波デジタル放送信号の一部に混ぜて送信されるワンセグ放送におけるニュースや天気予報、交通情報、番組関連情報などのデータ放送に、オートチャンネル切替えに必要な放送局チャンネル情報を付加して送信し、一方、地上波デジタル放送対応端末装置は、現在受信中の放送局の電波の受信状況をチェックするとともに、ワンセグ放送を受信する第２の受信部により異なるエリアの同局系列の放送局の電波を受信した場合には、該同局系列の放送局の電波の受信状況をチェックすることにより、これら２つの電波の受信状況を比較し、受信状況の良い放送局を選択する。
【００１５】
この際、異なるエリアの放送局を選択する場合には、ワンセグのデータ放送で受信した移動先放送局チャネル情報を基にオートチャンネル切替えを実施するので、地域毎に受信できる放送のチャネルの地域受信チャネルテーブルを記憶部に記憶しておく必要はなく、かつそれまで受信中の映像を途切れさせることなく自動で放送局を切替えることができる。
【００１６】
また、ワンセグ放送は比較的低いビットレートで送信されるので高感度の受信が可能であり、隣接エリアの放送局のワンセグ放送電波も比較的容易に受信することができるため、現在のエリアで地上波デジタル放送を受信中に、隣接するエリアにおける前記受信中の放送局と同一系列の放送局チャンネル情報を容易に検出することができる。従って、地上波デジタル放送対応端末装置において異なる放送局エリアに入り、受信チャンネルが変わった場合でも、自動でチャンネルの設定を行ない、継続して放送を視聴することが可能となる。
【発明の効果】
【００１７】
本発明では、既存の放送局エリアからチャンネルが異なる放送局エリアに移動する際に、異なる放送局エリア近傍で受信される放送電波から得られた異なる放送局エリア内のチャンネル情報から、当該異なる放送局エリア内の放送チャンネルを順次サーチすることにより現在受信中の放送局と同一系列の放送局を判定してオートチャンネル切替えを実施することができるので、ユーザーが受信チャンネルの再設定をせずに、同一放送を途切れることなく視聴することが可能となる。
【００１８】
また、前記放送局エリア内のチャンネル情報を、地上波デジタル放送信号の一部に含まれているワンセグ放送用のデータ放送に付加して送信することによって、現在のエリアで地上波デジタル放送を受信中に、隣接するエリアにおける前記受信中の放送局と同一系列の放送局チャンネル情報を容易に検出することができ、地上波デジタル放送対応端末装置において異なる放送局エリアに入り、受信チャンネルが変わった場合でも、容易に自動でチャンネルの設定を行なって継続して当該放送を視聴することが可能となる。
【発明を実施するための最良の形態】
【００１９】
図１は、本発明が適用される地上波デジタル放送の放送局エリアの例を示す概略図である。地上波デジタル放送対応端末装置１０は地上波デジタル放送を受信する機能を備えており、放送局エリア内を移動中に、地上波デジタル放送の電波を各エリア内に配置された放送局アンテナから受信することにより地上波デジタル放送を視聴することが可能である。放送局アンテナ１と放送局アンテナ２はそれぞれのエリア内の地上波デジタル放送の放送局アンテナを示している。それぞれの放送局アンテナからは番組放送（映像と音声）とデータ放送が送信されている。
【００２０】
図２は、本発明の実施形態を示す地上波デジタル放送の一部に含まれるワンセグ放送のトランスフォームストリーム（以下、ＴＳという）の送信フォーマットである。
【００２１】
従来の地上波デジタル放送信号の一部に含まれるワンセグ放送の送信フォーマットでは、放送局アンテナ１あるいは２からは、それぞれのエリア内に、映像や音声信号からなる番組放送と、ニュースや天気、交通情報、番組関連情報などのデータ放送を送信しているが、本実施形態では図２に示すように、この従来のトランスフォームストリームのデータ放送領域に、そのエリア内で放送している放送局の周波数や局名、チャンネル番号などの放送局チャンネル情報を付加したことを特徴としている。
【００２２】
地上波デジタル放送対応端末装置１０は、エリア内の所望の放送局チャンネルを受信しながら移動中に、今いる放送局エリアの電波以外に、異なる放送局エリアのワンセグ電波の受信状況をサーチする。このとき、今いる放送局エリアの電波以外に異なる放送局エリアの電波が受信できた場合には、今後この異なる放送局エリア内へ移動することが予測されるので、受信した異なる放送局エリアのワンセグ放送のデータ放送領域に含まれているチャンネル情報を抽出し、該抽出したチャンネル情報により、この異なる放送局エリアに割り当てられているチャンネルを受信する。
【００２３】
そして、受信しているチャンネルの中に、現在受信中の所望の放送局チャンネルと同一系列の放送局チャンネルが受信されたとき、現在受信中の放送局エリアの電波の受信状況と、異なる放送局エリアの系列放送局からの電波の受信状況を比較し、今いる放送局エリアの電波より異なる放送局エリアの電波の受信状況が良い場合には、この受信チャンネル情報を基にオートチャンネル切替えを実施する。
【００２４】
なお、地上波デジタル放送対応端末装置１０に、例えば国内における地上波デジタル放送局名と、それぞれの放送局の放送周波数、チャンネル番号を、同一系列の放送局ごとにまとめてテーブルとして格納しておくことにより、受信したワンセグ電波が同一系列の放送局からの電波であるか否かを容易に識別することができる。したがって、異なる放送局エリアのワンセグ放送のデータ放送領域に含まれているチャンネル情報から、現在受信中の放送局と同一系列の放送局のチャンネル情報が検出されたとき、直ちに該検出した同一系列の放送局を選局することにより受信状況を比較することもできる。
【００２５】
図３は、本発明の実施形態を示す地上波デジタル放送対応端末装置の、本発明と関連する部分の概略ブロック図である。
【００２６】
図３において、デジタル放送受信部１２は、ユーザーがチャンネル切替え処理部１５を介して設定したチャンネル切替え信号を受けて端末装置が現在位置しているエリア内の所望の放送局から放送されている地上波デジタル放送を、アンテナ１１を介して受信し、復調部１３は該受信信号からＴＳ信号を復調し、映像・音声・データ再生部１４は、復調されたＴＳ信号から映像、音声、データを再生することにより、所望の番組の視聴を可能にしている。
【００２７】
一方、ワンセグ放送受信部２２は、デジタル放送受信部１２により端末装置が現在位置しているエリア内の所望の放送局から放送されている地上波デジタル放送を受信中に、チャンネルサーチ部２６により制御されて、今いる放送局エリアとは異なる放送局エリアのワンセグ放送電波が受信できないかサーチし、アンテナ２１を介して異なる放送局エリアのワンセグ放送電波が受信できたときには、復調部２３でワンセグ放送のＴＳ信号を復調し、ワンセグ放送のデータ放送領域に付加されているチャンネル情報を、チャンネル情報抽出部２４で抽出して系列チャンネル検出部２５へ出力する。
【００２８】
系列チャンネル検出部２５は、チャンネル情報抽出部２４で抽出された異なる放送局エリアにおけるチャンネル情報の中に、現エリア内でデジタル放送受信部１２が受信中のチャンネルと同一系列のチャンネルを検出したとき、該検出したチャンネル情報をチャンネルサーチ部２６へ送出する。チャンネルサーチ部２６は、現エリア内でデジタル放送受信部１２が受信中のチャンネルと同一系列のチャンネル情報を系列チャンネル検出部２５から受けたとき、ワンセグ放送受信部２２に対して、デジタル放送受信部１２が現在受信中のチャンネルと系列チャンネル検出部２５から受けたデジタル放送受信部１２が受信中のチャンネルと同一系列のチャンネルを受信して、それぞれのチャンネルの電波受信状況を受信電波比較部１６へ送出させる制御を行う。
【００２９】
受信電波比較部１６は、ワンセグ放送受信部２２により受信された、デジタル放送受信部１２が現在受信中のチャンネルの電波受信状況と系列チャンネル検出部２５から受けたデジタル放送受信部１２が受信中のチャンネルと同一系列のチャンネルの電波受信状況を比較して、比較結果を受信電波選択部１７に送る。受信電波選択部１７では、受信電波比較部１６の情報を基に、今いる放送局エリアの電波と異なる放送局エリアの電波の受信状況の良い放送局を選択する信号をチャンネル切替え処理部１５へ出力する。
【００３０】
したがって、今いる放送局エリアの電波の受信状況の方が良い場合には、チャンネル切替え処理部１５は、デジタル放送受信部１２が現在受信中のチャンネルを維持して受信するように制御し、異なる放送局エリアの電波の受信状況の方が良い場合には、チャンネル切替え処理部１５は、系列チャンネル検出部２５で検出された同一系列のチャンネルを受信するようにデジタル放送受信部１２を制御することによってオートチャンネル切替えを実施する。
【００３１】
図４は、本実施形態の地上波デジタル放送対応端末装置が異なる放送局エリアの電波をサーチする際の様子を示す概略図である。
【００３２】
図４において、地上波デジタル放送対応端末装置１０は、今いる放送局エリアの電波以外に、異なる放送局エリアの電波が受信できないかどうか、ワンセグ放送受信部２２で電波の受信状況をサーチする。このとき、今いる放送局エリアの電波以外に異なる放送局エリアの電波が受信できた場合には、異なる放送局エリアのワンセグデータ放送に含まれている受信チャンネル情報を抽出するとともに、該チャンネル情報に現在受信中のチャンネルと同一系列のチャンネルがある場合には、両者の電波受信状況を比較する。そして、今いる放送局エリアの電波より異なる放送局エリアの電波の受信状況が良い場合には、この受信チャンネル情報を基にオートチャンネル切替えを実施する。
【００３３】
図５は、本実施形態の地上波デジタル放送対応端末装置のオートチャンネル切替えの処理の様子を示すフローチャートである。以下、本実施形態の動作について説明する。
【００３４】
本実施形態の地上波デジタル放送対応端末装置は、地上波デジタル放送局の電波の受信状況をチェックする（Ｓ１）。この際、現在視聴しているエリアの放送局の電波しか受信できない場合には、現在受信中の放送局のチャンネルを維持する（Ｓ２：既存放送局のみ）。一方、現在視聴している放送局の他に、異なる放送エリアにある放送局の電波を受信できた場合（Ｓ２：他エリア放送局電波受信）には、該受信した信号から当該異なる放送エリア内の放送局のチャンネル情報を取得し、現在視聴している放送局と同一系列の放送電波の受信状況、および現在視聴している放送局の放送電波の受信状況などの情報を取得する（Ｓ３）。
【００３５】
この情報を基に２つの放送局の電波の受信状況を比較し、電波の受信状況の良い方を選択する（Ｓ４）。この際、現在いるエリアの放送局の電波の受信状況の方が良い場合には、既存の放送局のチャンネルを維持する（Ｓ５：既存放送局電波受信状況良）。一方、異なるエリアの放送局の電波の受信状況の方が良い場合には、図２に示すようなデータ放送から取得したオートチャンネル切替えに必要な移動先放送局チャンネル情報を基にオートチャンネル切替えを行い、放送局を切替える（Ｓ６：他エリア放送局電波受信良）。
【００３６】
本実施形態では、ワンセグ放送のトランスフォームストリームのデータ放送領域に、当該エリアの放送局チャンネル情報を付加しているので、各エリアにおける放送局チャンネル情報は、構成の簡単なワンセグ放送受信機で実現でき、従って、オートチャンネル切替え機構を比較的簡単な構成で実現することができる。
【００３７】
またワンセグ放送は受信感度を高くすることができるので、現在位置しているエリアとは異なるエリアの放送局の電波も比較的容易に受信することができる。そのため、他エリアへ移動する前に他エリア内の放送局チャンネル情報を比較的早い段階で得ることができ、チャンネルの自動切替えをスムーズに実行することが可能となる。
【００３８】
なお、上記実施形態では、地上波デジタルを受信可能なデジタル放送受信部１２を備えた移動無線端末をその対象としているが、地上波デジタルを受信可能なデジタル放送受信部１２をワンセグ放送受信部として、ワンセグ放送のみ受信可能な移動端末に対して本発明を適用することも可能である。
【００３９】
また、上記実施形態では、ワンセグ放送のトランスフォームストリームのデータ放送領域に、当該エリアの放送局チャンネル情報を付加したが、地上波デジタル放送のトランスフォームストリームのデータ放送領域に、当該エリアの放送局チャンネル情報を付加し、ワンセグ放送受信部２２も地上波デジタル放送受信可能な受信部として構成して本発明のオートチャンネル切替え手段を搭載し、放送の自動切替を行わせることもできる。
【００４０】
その場合には、ワンセグ放送受信部２２の代わりに地上波デジタルを受信可能なデジタル放送受信部を備える必要があり、構成面では、上記実施形態と比較して不利ではあるが、同様にチャンネルの自動切替えを実現することはできる。
【図面の簡単な説明】
【００４１】
【図１】本発明が適用される地上波デジタル放送の放送局エリアの例を示す概略図である。
【図２】本発明の実施形態で用いるワンセグ放送のトランスフォームストリームを示す送信フォーマットである。
【図３】本発明の実施形態を示す地上波デジタル放送対応端末装置の、本発明と関連する部分の概略ブロック図である。
【図４】本実施形態の地上波デジタル放送対応端末装置が異なる放送局エリアの電波をサーチする際の様子を示す概略図である。
【図５】本実施形態の地上波デジタル放送対応端末装置のオートチャンネル切替えの処理の様子を示すフローチャートである。
【符号の説明】
【００４２】
１-３  放送局アンテナ
１０  地上波デジタル放送対応端末装置
１１，２１  アンテナ
１２  デジタル放送受信部
１３，２３  復調部
１４  映像・音声・データ再生部
１５  チャンネル切替部
１６  受信電波比較部
１７  受信電波選択部
２２  ワンセグ放送受信部
２４  チャンネル情報抽出部
２５  系列チャンネル検出部
２６  チャンネルサーチ部
【図１】
2008136069.tif 000003
【図２】
2008136069.tif 000004
【図３】
2008136069.tif 000005
【図４】
2008136069.tif 000006
【図５】
2008136069.tif 000007